(57)【要約】【課題】  低コストで高周波への対応が容易で分圧比の調整が可能なプローブを実現する。【解決手段】  プローブ入力信号を分圧回路で分圧し可変利得増幅回路で増幅した後に同軸ケーブルを介してプローブ出力信号として出力するプローブにおいて、プローブ入力信号が一端に供給される第１の抵抗と、この第１の抵抗の他端に一端がそれぞれ接続され他端から分圧した出力を可変利得増幅回路の入力端子に供給する第２の抵抗及び第１の容量と、可変利得増幅回路の入力端子に一端が接続された第２の容量と、可変利得増幅回路の入力端子に一端が接続され他端が接地された低周波信号の分圧比を調整する第１の可変抵抗手段と、第２の容量の他端に一端が接続され他端が接地された高周波信号の分圧比を調整する第２の可変抵抗手段とから構成された分圧回路を設ける。【選択図】                    図１
2008261722.tif 000002
【特許請求の範囲】
【請求項１】
プローブ入力信号を分圧回路で分圧し可変利得増幅回路で増幅した後に同軸ケーブルを介してプローブ出力信号として出力するプローブにおいて、
前記プローブ入力信号が一端に供給される第１の抵抗と、
この第１の抵抗の他端に一端がそれぞれ接続され他端から分圧した出力を前記可変利得増幅回路の入力端子に供給する第２の抵抗及び第１の容量と、
前記可変利得増幅回路の入力端子に一端が接続された第２の容量と、
前記可変利得増幅回路の入力端子に一端が接続され他端が接地された低周波信号の分圧比を調整する第１の可変抵抗手段と、
前記第２の容量の他端に一端が接続され他端が接地された高周波信号の分圧比を調整する第２の可変抵抗手段とから構成された分圧回路
を備えたことを特徴とするプローブ。
【請求項２】
前記第２の抵抗及び前記第１の容量の他端と前記可変利得増幅回路の入力端子との間にベース接地回路を備えたことを特徴とする
請求項１記載のプローブ。
【請求項３】
プローブ入力信号を分圧回路で分圧し可変利得増幅回路で増幅した後に同軸ケーブルを介してプローブ出力信号として出力するプローブにおいて、
前記プローブ入力信号が一端にそれぞれ供給される第１の抵抗及び第１の容量と、
この第１の抵抗及び第１の容量の他端に一端が接続され他端から分圧した出力を前記可変利得増幅回路の入力端子に供給する第２の抵抗と、
前記可変利得増幅回路の入力端子に一端が接続される第２の容量と、
前記可変利得増幅回路の入力端子に一端が接続され他端が接地された低周波信号の分圧比を調整する第１の可変抵抗手段と、
前記第２の容量の他端に一端が接続され他端が接地された高周波信号の分圧比を調整する第２の可変抵抗手段とから構成された分圧回路
を備えたことを特徴とするプローブ。
【請求項４】
前記第２の抵抗の他端と前記可変利得増幅回路の入力端子との間にベース接地回路を備えたことを特徴とする
請求項３記載のプローブ。
【請求項５】
前記第１の可変抵抗手段が、
一端が前記可変利得増幅回路の入力端子に接続された第３の抵抗と、
この第３の抵抗の他端に一端が接続され他端が接地された第４の抵抗と、
前記第３の抵抗と前記第４の抵抗の接続点に出力が供給される可変電流源と、
前記第３の抵抗の両端が２つの入力端子に接続され出力が前記可変電流源の出力電流を制御する増幅回路とから構成されたことを特徴とする
請求項１乃至請求項４のいずれかに記載のプローブ。
【請求項６】
前記第２の可変抵抗手段が、
可変電流源と、
前記第２の容量の他端にコレクタ及びベースが接続されると共に前記可変電流源の出力がコレクタ及びベースに供給されエミッタが接地されたトランジスタとから構成されたことを特徴とする
請求項１乃至請求項４のいずれかに記載のプローブ。
【発明の詳細な説明】
【技術分野】
【０００１】
本発明は、オシロスコープ等の波形観測装置に用いられるプローブに関し、特に低コストで高周波への対応が容易で分圧比の調整が可能なプローブに関する。
【背景技術】
【０００２】
従来のオシロスコープ等の波形観測装置に用いられるプローブに関連する先行技術文献としては次のようなものがある。
【０００３】
【特許文献１】特開平０５−２６４５９８号公報
【特許文献２】特開平０６−３３１６５７号公報
【特許文献３】特開平０７−２８０８３８号公報
【特許文献４】特開平１０−０７０４３８号公報
【特許文献５】特開２００２−１１１３１８号公報
【特許文献６】特開２００５−３４５４６９号公報
【０００４】
図７は従来のプローブの一例を示す構成回路図である。図７において、１，２，４及び５は抵抗、３及び６は容量、７は増幅回路、８は同軸ケーブル、１００は被観測波形信号であるプローブ入力信号、１０１はプローブ出力信号である。
【０００５】
また、１，２，３，４，５及び６はＲＣ回路網による分圧回路５０を、１，２，３，４，５，６及び７はプローブヘッド５１をそれぞれ構成している。
【０００６】
プローブ入力信号１００は抵抗１の一端に印加され、抵抗１の他端は抵抗２の一端及び容量３の一端にそれぞれ接続される。抵抗２の他端は容量３の他端、抵抗４の一端及び増幅回路７の入力端子にそれぞれ接続される。
【０００７】
抵抗４の他端は抵抗５の一端及び容量６の一端にそれぞれ接続され、抵抗５の他端は容量６の他端に接続されると共に接地される。
【０００８】
一方、増幅回路７の出力端子は同軸ケーブル８の一端に接続され、同軸ケーブル８の他端からはプローブ出力信号１０１が出力される。
【０００９】
ここで、図７に示す従来例の動作を説明する。プローブ入力信号１００は分圧回路５０で分圧され、増幅回路７で適宜増幅された後に同軸ケーブル８を介してプローブヘッド５１とは離れた位置にあるオシロスコープにプローブ出力信号１０１として供給される。
【００１０】
また、分圧回路５０では、プローブ入力信号１００のうち低周波信号（直流信号を含む）は抵抗１，２，４及び５により分圧比が決定され、プローブ入力信号１００のうち高周波信号は容量３及び６により分圧比が決定される。
【００１１】
このため、分圧回路５０を構成する抵抗１，２，４及び５や容量３及び６の抵抗値や容量値を調整して、分圧回路５０の低周波信号（直流信号を含む）や高周波信号の分圧比を調整する必要性がある。
【００１２】
抵抗値や容量値の調整方法としては、例えば、抵抗として半固定抵抗、容量として容量トリマ等を用いて抵抗値や容量値を調整したり、レーザトリミングを用いて抵抗値や容量値を調整したり、”特許文献４”に記載されているように可変利得増幅回路を用いて抵抗値や容量値を調整したりする。
【００１３】
また、調整される抵抗値や容量値の具体例としては、例えば、抵抗１は”１００Ω”、抵抗２は”数１０ｋΩ”、容量３は”１ｐＦ以下”、抵抗４は”１０Ω”、抵抗５は”数ｋΩ”及び容量６は”１ｐＦ程度”に設計することが一般的である。
【００１４】
この結果、プローブ入力信号１００を分圧回路５０で分圧し増幅回路７で適宜増幅して同軸ケーブル８を介してプローブヘッド５１とは離れた位置にあるオシロスコープに供給することにより、被観測波形信号をオシロスコープで観測することが可能になる。
【発明の開示】
【発明が解決しようとする課題】
【００１５】
しかし、図７に示す従来例では、抵抗として半固定抵抗、容量として容量トリマ等を用いて抵抗値や容量値を調整する場合、半固定抵抗や容量トリマは周波数特性が悪いため、高周波への対応が困難であると言った問題点があった。
【００１６】
また、レーザトリミングを用いて抵抗値や容量値を調整する場合、高価なレーザトリミング装置の導入やレーザトリミング可能な材料を選択する等、コストが増大してしまうと言った問題点があった。
【００１７】
さらに、”特許文献４”に記載されているように可変利得増幅回路を用いて抵抗値や容量値を調整する場合、可変利得増幅回路の遅延時間が限りなくゼロであり、尚且つ、分圧する高周波信号以上の高周波数まで動作が可能である等の要求があり、可変利得増幅回路の設計が非常に困難であると言った問題点があった。
従って本発明が解決しようとする課題は、低コストで高周波への対応が容易で分圧比の調整が可能なプローブを実現することにある。
【課題を解決するための手段】
【００１８】
このような課題を達成するために、本発明のうち請求項１記載の発明は、
プローブ入力信号を分圧回路で分圧し可変利得増幅回路で増幅した後に同軸ケーブルを介してプローブ出力信号として出力するプローブにおいて、
前記プローブ入力信号が一端に供給される第１の抵抗と、この第１の抵抗の他端に一端がそれぞれ接続され他端から分圧した出力を前記可変利得増幅回路の入力端子に供給する第２の抵抗及び第１の容量と、前記可変利得増幅回路の入力端子に一端が接続された第２の容量と、前記可変利得増幅回路の入力端子に一端が接続され他端が接地された低周波信号の分圧比を調整する第１の可変抵抗手段と、前記第２の容量の他端に一端が接続され他端が接地された高周波信号の分圧比を調整する第２の可変抵抗手段とから構成された分圧回路を備えたことにより、低コストで高周波への対応が容易で分圧比の調整が可能になる。
【００１９】
請求項２記載の発明は、
請求項１記載のプローブにおいて、
前記第２の抵抗及び前記第１の容量の他端と前記可変利得増幅回路の入力端子との間にベース接地回路を備えたことにより、プローブ入力信号側から見たインピーダンスを変化させることなく、低周波信号（直流信号を含む）の分圧比や高周波信号の分圧比を調整することが可能になる。
【００２０】
請求項３記載の発明は、
プローブ入力信号を分圧回路で分圧し可変利得増幅回路で増幅した後に同軸ケーブルを介してプローブ出力信号として出力するプローブにおいて、
前記プローブ入力信号が一端にそれぞれ供給される第１の抵抗及び第１の容量と、この第１の抵抗及び第１の容量の他端に一端が接続され他端から分圧した出力を前記可変利得増幅回路の入力端子に供給する第２の抵抗と、前記可変利得増幅回路の入力端子に一端が接続される第２の容量と、前記可変利得増幅回路の入力端子に一端が接続され他端が接地された低周波信号の分圧比を調整する第１の可変抵抗手段と、前記第２の容量の他端に一端が接続され他端が接地された高周波信号の分圧比を調整する第２の可変抵抗手段とから構成された分圧回路を備えたことにより、低コストで高周波への対応が容易で分圧比の調整が可能になる。
【００２１】
請求項４記載の発明は、
請求項３記載のプローブにおいて、
前記第２の抵抗の他端と前記可変利得増幅回路の入力端子との間にベース接地回路を備えたことにより、プローブ入力信号側から見たインピーダンスを変化させることなく、低周波信号（直流信号を含む）の分圧比や高周波信号の分圧比を調整することが可能になる。
【００２２】
請求項５記載の発明は、
請求項１乃至請求項４のいずれかに記載のプローブにおいて、
前記第１の可変抵抗手段が、
一端が前記可変利得増幅回路の入力端子に接続された第３の抵抗と、この第３の抵抗の他端に一端が接続され他端が接地された第４の抵抗と、前記第３の抵抗と前記第４の抵抗の接続点に出力が供給される可変電流源と、前記第３の抵抗の両端が２つの入力端子に接続され出力が前記可変電流源の出力電流を制御する増幅回路とから構成されたことにより、低コストで高周波への対応が容易で分圧比の調整が可能になる。
【００２３】
請求項６記載の発明は、
請求項１乃至請求項４のいずれかに記載のプローブにおいて、
前記第２の可変抵抗手段が、
可変電流源と、前記第２の容量の他端にコレクタ及びベースが接続されると共に前記可変電流源の出力がコレクタ及びベースに供給されエミッタが接地されたトランジスタとから構成されたことにより、低コストで高周波への対応が容易で分圧比の調整が可能になる。
【発明の効果】
【００２４】
本発明によれば次のような効果がある。
請求項１，２，３，４，５及び請求項６の発明によれば、抵抗と容量とを並列接続すると共に別途抵抗を直列接続した回路に、容量と高周波信号の分圧比を調整する可変抵抗手段とを直列接続すると共に低周波信号（直流信号を含む）の分圧比を調整する可変抵抗手段とを並列に接続した回路を直列接続して分圧回路を構成することにより、低コストで高周波への対応が容易で分圧比の調整が可能になる。
【００２５】
また、請求項２及び請求項４の発明によれば、抵抗と容量とを並列接続すると共に別途抵抗を直列接続した回路と、可変利得増幅回路の入力端子との間にベース接地回路を追加することにより、プローブ入力信号側から見たインピーダンスを変化させることなく、低周波信号（直流信号を含む）の分圧比や高周波信号の分圧比を調整することが可能になる。
【発明を実施するための最良の形態】
【００２６】
以下本発明を図面を用いて詳細に説明する。図１は本発明に係るプローブの一実施例を示す構成ブロック図である。
【００２７】
図１において、９，１０，１５及び１６は抵抗、１１及び１７は容量、１２は可変利得増幅回路、１３は同軸ケーブル、１４は増幅回路、１８はトランジスタ、１９及び２０は出力電流が可変である可変電流源、１００ａは被観測波形信号であるプローブ入力信号、１０１ａはプローブ出力信号である。
【００２８】
また、９，１０，１１，１４，１５，１６，１７，１８，１９及び２０は従来例と同様にＲＣ回路網による分圧回路（図示せず）を構成しており、１４，１５，１６及び１９は可変抵抗手段５２を、１８及び２０は可変抵抗手段５３を、９，１０，１１，１２，１４，１５，１６，１７，１８，１９及び２０はプローブヘッド５４をそれぞれ構成している。
【００２９】
プローブ入力信号１００ａは抵抗９の一端に印加され、抵抗９の他端は抵抗１０の一端及び容量１１の一端にそれぞれ接続される。抵抗１０の他端は容量１１の他端、可変利得増幅回路１２の入力端子、増幅回路１４の一方の入力端子、抵抗１５の一端及び容量１７の一端にそれぞれ接続される。
【００３０】
抵抗１５の他端は増幅回路１４の他方の入力端子、抵抗１６の一端及び可変電流源１９の一端にそれぞれ接続され、増幅回路１４の出力は可変電流源１９の電流値制御入力端子に接続される。
【００３１】
容量１７の他端はトランジスタ１８のコレクタ及びベース、可変電流源２０の一端にそれぞれ接続され、抵抗１６の他端はトランジスタ１８のエミッタに接続されると共に接地される。また、可変電流源１９及び２０の他端は電圧源にそれぞれ接続される。
【００３２】
一方、可変利得増幅回路１２の出力端子は同軸ケーブル１３の一端に接続され、同軸ケーブル１３の他端からはプローブ出力信号１０１ａが出力される。
【００３３】
ここで、図１に示す実施例の動作を図２、図３及び図４を用いて説明する。図２は分圧回路における等価回路を説明する説明図、図３は可変抵抗手段５２の動作を説明する説明図、図４は可変抵抗手段５３の動作を説明する説明図である。
【００３４】
図１において、９，１０，１１，１４，１５，１６，１７，１８，１９及び２０から構成されるＲＣ回路網による分圧回路は、抵抗１０と容量１１の他端の接続点からプローブ入力信号１００ａを分圧した出力を可変利得増幅回路１２の入力端子に対して供給するように動作する。
【００３５】
図２（ａ）は図７に示す従来例の分圧回路５０を構成する抵抗４の抵抗値を”Ｒ１”、抵抗５の抵抗値を”Ｒ２”、容量６の容量値を”Ｃ１”とした場合を示すものであり、図２（ａ）に示す回路構成を図２（ｂ）に示すような回路構成に変更しても、図２（ａ）と図２（ｂ）とは等価である。
【００３６】
すなわち、図２（ａ）に示す回路構成は、図２（ｂ）に示す容量値が”Ｃ１”である容量と抵抗値”Ｒ１”である抵抗とを直列接続したものと、抵抗値が”Ｒ１＋Ｒ２”である抵抗とを並列に接続した回路構成と等価になる。
【００３７】
図１において可変抵抗手段５２は、抵抗値が”Ｒ１＋Ｒ２”である抵抗と等価であり、可変抵抗手段５３は、抵抗値”Ｒ１”である抵抗と等価であり、このため、容量１７（容量値が”Ｃ１”である容量に相当）を加えることにより、１４，１５，１６，１７，１８，１９及び２０は、図２（ｂ）に示す回路構成を実現することになる。
【００３８】
そして、抵抗１０と容量１１とを並列接続すると共に抵抗１０に抵抗９を直列接続した回路と図２（ｂ）に示す回路構成を直列接続し、可変抵抗手段５２及び５３の抵抗値を調整することにより、分圧比の調整が可能な分圧回路を構成することができる。
【００３９】
例えば、可変抵抗手段５２は抵抗値（図２（ｂ）中”Ｒ１＋Ｒ２”に相当）を変化させることにより低周波信号（直流信号を含む）の分圧比を調整し、可変抵抗手段５３は抵抗値（図２（ｂ）中”Ｒ１”に相当）を変化させることにより、容量１７の容量値を変化させることなく高周波信号の分圧比を調整することができる。
【００４０】
ここで、さらに、可変抵抗手段５２の動作を図３を用いて詳細に説明する。可変抵抗手段５２は、可変電流源１９から抵抗１５における電圧降下に比例する電流を抵抗１６に加算して流すことにより、抵抗１６における電圧降下を調整して見かけ上の抵抗１６の抵抗値を可変とし、低周波信号（直流信号を含む）の分圧比を調整する。
【００４１】
また、可変電流源１９は電流値制御入力端子に入力された電圧値に基準電流の値を乗算した出力電流を出力するように動作する。
【００４２】
例えば、増幅回路１４の利得を”α”、抵抗１５及び１６の抵抗値を”Ｒ”及び”ｒ”、抵抗１５に流れる電流を”ｉ”、可変電流源１９の基準電流を”Ｉｒｅｆ”とした場合、抵抗１５における電圧降下は”Ｒ・ｉ”となり、増幅回路１４の出力電圧値は”α・Ｒ・ｉ”となる。
【００４３】
従って、可変電流源１９の出力電流”Ｉ”は、
Ｉ＝α・Ｒ・ｉ・Ｉｒｅｆ      （１）
となる。
【００４４】
抵抗１６には抵抗１５に流れる電流”ｉ”に可変電流源１９の出力電流”Ｉ”が加算された電流が流れることになるので、抵抗１６における電圧降下は”ｒ（ｉ＋Ｉ）”となり、可変抵抗手段５２における電圧降下”Ｖ”は、
Ｖ＝Ｒ・ｉ＋ｒ（ｉ＋Ｉ）
＝Ｒ・ｉ＋ｒ（ｉ＋α・Ｒ・ｉ・Ｉｒｅｆ）
＝{Ｒ＋ｒ(１＋α・Ｒ・Ｉｒｅｆ)}ｉ      （２）
となり、可変抵抗手段５２の抵抗値は”Ｒ＋ｒ(１＋α・Ｒ・Ｉｒｅｆ)”となる。
【００４５】
このため、可変電流源１９の基準電流”Ｉｒｅｆ”を調整することにより、可変抵抗手段５２の抵抗値（図２（ｂ）中”Ｒ１＋Ｒ２”に相当）を調整することが可能になる。
【００４６】
一方、可変抵抗手段５３は、図４に示すように容量１７のインピーダンスが最も低くなる高周波信号（入力周波数の上限）で可変電流源２０からの出力電流（トランジスタ１８のコレクタ電流に相当）を調整してトランジスタ１８のエミッタ抵抗を変化させることにより、高周波信号（入力周波数の上限）での分圧比を調整する。
【００４７】
例えば、トランジスタ１８のコレクタ電流を”ｉｃ”、相互コンダクタンスを”ｇｍ”、ボルツマン定数を”ｋ”、絶対温度を”Ｔ”、電子電荷を”ｑ”、トランジスタ１８の電流利得を”βｏ”とした場合、トランジスタ１８のエミッタ抵抗”ｒｅ”は、
ｒｅ＝１／{ｇｍ(１＋１／βｏ)}
＝ｋ・Ｔ／{ｑ・ｉｃ(１＋１／βｏ)}      （３）
となる。
【００４８】
このため、可変電流源２０の出力電流（トランジスタ１８のコレクタ電流）”ｉｃ”を調整することにより、可変抵抗手段５３の抵抗値（図２（ｂ）中”Ｒ１”に相当）を調整することが可能になる。
【００４９】
すなわち、図１に示す実施例の構成では周波数特性の悪い半固定抵抗や容量トリマや、コストが増大するレーザトリミングを用いることなく、高周波信号の分圧比や低周波信号（直流信号を含む）の分圧比を調整することが可能になる。
【００５０】
この結果、抵抗１０と容量１１とを並列接続すると共に抵抗９を直列接続した回路に、容量１７と高周波信号の分圧比を調整する可変抵抗手段５３とを直列接続すると共に低周波信号（直流信号を含む）の分圧比を調整する可変抵抗手段５２とを並列に接続した回路を直列接続して分圧回路を構成することにより、低コストで高周波への対応が容易で分圧比の調整が可能になる。
【００５１】
なお、図１に示す実施例では分圧回路を構成する抵抗９及び１０と容量１１から構成される回路は、プローブ入力信号１００ａが一端に印加された抵抗９の他端に、抵抗１０と容量１１とが並列接続された回路が接続される回路構成になっているが、プローブ入力信号１００ａが一端にそれぞれ印加された抵抗１０及び容量１１のそれぞれ他端に抵抗９が接続される回路構成であっても構わない。
【００５２】
また、分圧回路内にベース接地回路を追加しても構わない。図５はこのような本発明に係るプローブの他の実施例を示す構成ブロック図である。
【００５３】
図５において９，１０，１１，１２，１３，１４，１５，１６，１７，１８，１９，２０，５２及び５３は図１と同一符号を付してあり、２１はトランジスタ、１００ｂは被観測波形信号であるプローブ入力信号、１０１ｂはプローブ出力信号である。
【００５４】
また、９，１０，１１，１４，１５，１６，１７，１８，１９，２０及び２１は従来例と同様にＲＣ回路網による分圧回路（図示せず）を構成しており、９，１０，１１，１２，１４，１５，１６，１７，１８，１９，２０及び２１はプローブヘッド５５を構成している。
【００５５】
プローブ入力信号１００ｂは抵抗９の一端に印加され、抵抗９の他端は抵抗１０の一端及び容量１１の一端にそれぞれ接続される。抵抗１０の他端は容量１１の他端及びトランジスタ２１のエミッタにそれぞれ接続される。
【００５６】
トランジスタ２１のベースは接地され、トランジスタ２１のコレクタは可変利得増幅回路１２の入力端子、増幅回路１４の一方の入力端子、抵抗１５の一端及び容量１７の一端にそれぞれ接続される。
【００５７】
抵抗１５の他端は増幅回路１４の他方の入力端子、抵抗１６の一端及び可変電流源１９の一端にそれぞれ接続され、増幅回路１４の出力は可変電流源１９の電流値制御入力端子に接続される。
【００５８】
容量１７の他端はトランジスタ１８のコレクタ及びベース、可変電流源２０の一端にそれぞれ接続され、抵抗１６の他端はトランジスタ１８のエミッタに接続されると共に接地される。また、可変電流源１９及び２０の他端は電圧源にそれぞれ接続される。
【００５９】
一方、可変利得増幅回路１２の出力端子は同軸ケーブル１３の一端に接続され、同軸ケーブル１３の他端からはプローブ出力信号１０１ｂが出力される。
【００６０】
ここで、図５に示す実施例の動作を説明する。但し、差動のプローブ入力信号１００ｂがベース接地回路を追加された分圧回路で分圧され、可変利得増幅回路１２で適宜増幅された後に同軸ケーブル１３を介してプローブヘッド５５とは離れた位置にあるオシロスコープにプローブ出力信号１０１ｂして供給される点以外の動作は図１に示す実施例と同様であるので説明は省略する。
【００６１】
この場合、抵抗１０と容量１１とを並列接続すると共に抵抗９を直列接続した回路と、可変利得増幅回路１２の入力端子との間にベース接地回路を追加することにより、プローブ入力信号１００ｂ側から見たインピーダンスを変化させることなく、可変抵抗手段５２や可変抵抗手段５３によって低周波信号（直流信号を含む）の分圧比や高周波信号の分圧比を調整することが可能になる。
【００６２】
また、図１に示すような分圧回路を２つ用いて差動プローブに適用しても構わない。図６はこのような差動プローブに適用した本発明に係るプローブの他の実施例を示す構成ブロック図である。
【００６３】
図６において２２，２３，２５及び２６は抵抗、２４，２７，２８及び２９は容量、３０は可変利得差動増幅回路、３１は同軸ケーブルである。
【００６４】
５２ａ及び５２ｂは可変電流源から一方の抵抗における電圧降下に比例する電流を他方の抵抗に加算して流すことにより、他方の抵抗における電圧降下を調整して見かけ上の他方の抵抗の抵抗値を可変とし、低周波信号（直流信号を含む）の分圧比を調整する図１に記載された可変抵抗手段である。
【００６５】
また、５３ａ及び５３ｂは容量のインピーダンスが最も低くなる高周波信号（入力周波数の上限）で可変電流源からの出力電流を調整してトランジスタのエミッタ抵抗を変化させることにより、高周波信号（入力周波数の上限）での分圧比を調整する図１に記載された可変抵抗手段である。
【００６６】
さらに、１０２及び１０３は被観測波形信号である差動のプローブ入力信号、１０４はプローブ出力信号である。
【００６７】
また、２２，２３，２４，２５，２６，２７，２８，２９，３０，５２ａ，５２ｂ，５３ａ及び５３ｂはプローブヘッド５６を構成している。
【００６８】
プローブ入力信号１０２は抵抗２２の一端に印加され、抵抗２２の他端は抵抗２３の一端及び容量２４の一端にそれぞれ接続される。抵抗２３の他端は容量２４の他端、容量２８の一端、可変利得差動増幅回路３０の非反転入力端子、可変抵抗手段５２ａの一端にそれぞれ接続される。
【００６９】
容量２８の他端は可変抵抗手段５３ａの一端に接続され、可変抵抗手段５２ａ及び５３ａの他端はそれぞれ接地される。
【００７０】
同様に、プローブ入力信号１０３は抵抗２５の一端に印加され、抵抗２５の他端は抵抗２６の一端及び容量２７の一端にそれぞれ接続される。抵抗２６の他端は容量２７の他端、容量２９の一端、可変利得差動増幅回路３０の反転入力端子、可変抵抗手段５２ｂの一端にそれぞれ接続される。
【００７１】
容量２９の他端は可変抵抗手段５３ｂの一端に接続され、可変抵抗手段５２ｂ及び５３ｂの他端はそれぞれ接地される。
【００７２】
一方、可変利得差動増幅回路３０の出力端子は同軸ケーブル３１の一端に接続され、同軸ケーブル３１の他端からはプローブ出力信号１０４が出力される。
【００７３】
ここで、図６に示す実施例の動作を説明する。但し、差動のプローブ入力信号１０２及び１０３が各々の分圧回路でそれぞれ分圧され、可変利得差動増幅回路３０で適宜増幅された後に同軸ケーブル３１を介してプローブヘッド５６とは離れた位置にあるオシロスコープにプローブ出力信号１０４として供給される点以外の動作は図１に示す実施例と同様であるので説明は省略する。
【図面の簡単な説明】
【００７４】
【図１】本発明に係るプローブの一実施例を示す構成ブロック図である。
【図２】分圧回路における等価回路を説明する説明図である。
【図３】可変抵抗手段の動作を説明する説明図である。
【図４】可変抵抗手段の動作を説明する説明図である。
【図５】本発明に係るプローブの他の実施例を示す構成ブロック図である。
【図６】本発明に係るプローブの他の実施例を示す構成ブロック図である。
【図７】従来のプローブの一例を示す構成回路図である。
【符号の説明】
【００７５】
１，２，４，５，９，１０，１５，１６，２２，２３，２５，２６  抵抗
３，６，１１，１７，２４，２７，２８，２９  容量
７，１４  増幅回路
８，１３，３１  同軸ケーブル
１２  可変利得増幅回路
１８，２１  トランジスタ
１９，２０  可変電流源
３０  可変利得差動増幅回路
５０  分圧回路
５１，５４，５５，５６  プローブヘッド
５２，５２ａ，５２ｂ，５３，５３ａ，５３ｂ  可変抵抗手段
１００，１００ａ，１００ｂ，１０２，１０３  プローブ入力信号
１０１，１０１ａ，１０１ｂ，１０４  プローブ出力信号
【図１】
2008261722.tif 000003
【図２】
2008261722.tif 000004
【図３】
2008261722.tif 000005
【図４】
2008261722.tif 000006
【図５】
2008261722.tif 000007
【図６】
2008261722.tif 000008
【図７】
2008261722.tif 000009